(57)【要約】【課題】様々なＩＲリモコンコードに対応可能な無線伝送システムを提供する。【解決手段】無線伝送受信装置２００が、ＩＲリモコン信号をデコードしてＩＲリモコンコードのデータを出力するＩＲ受光器１６と、前記ＩＲリモコンコードのデータを無線データに変換して送信する送信部（アンテナ１０、送受信回路１１、演算処理装置１２）と、備える。また、無線伝送送信装置１００が、前記送信部から送信される無線データを受信して元のＩＲリモコンコードのデータに変換する受信部（アンテナ８、送受信回路７）と、該受信部が出力するＩＲリモコンコードのデータに応じた制御信号を生成する演算処理装置６と、前記制御信号をＩＲリモコン信号に変換して出力するＩＲ発光器９と、を備える。【選択図】　　　図１
2004147237.tif 000002
【特許請求の範囲】
【請求項１】
入力したソース信号を無線信号に変換して出力する無線伝送送信装置と、該無線伝送送信装置から出力される無線信号を元のソース信号に変換して外部出力信号とする無線伝送受信装置と、を有する無線伝送システムにおいて、
前記無線伝送受信装置が、入力した赤外線リモートコントロール信号をデコードしてコードデータを出力する赤外線受光器と、該赤外線受光器が出力するコードデータを無線データに変換して送信する送信手段と、備え、
前記無線伝送送信装置が、前記送信手段から送信される無線データを受信して元のコードデータに変換する受信手段と、該受信手段が出力するコードデータに応じた制御信号を生成するエンコーダと、該エンコーダが出力する制御信号を赤外線リモートコントロール信号に変換して出力する赤外線発光器と、を備えることを特徴とする無線伝送システム。
【請求項２】
前記送信手段が、前記赤外線受光器が出力するコードデータをビット列データに変換し、その変換したビット列データを無線データに変換して送信する請求項１に記載の無線伝送システム。
【請求項３】
前記送信手段が、前記赤外線受光器が出力するコードデータをビット列データに変換するときのサンプリング周期を変動させる請求項２に記載の無線伝送システム。
【請求項４】
前記無線伝送受信装置が、各々異なるキャリア周波数の赤外線リモートコントロール信号をデコードしてコードデータを出力する赤外線受光器を複数備える請求項１〜３のいずれかに記載の無線伝送システム。
【請求項５】
前記無線伝送受信装置が、入力した赤外線リモートコントロール信号のキャリア周波数を測定する測定手段を備え、
前記送信手段が、前記測定手段によって測定されたキャリア周波数のデータを前記赤外線受光器が出力するコードデータとともに無線データに変換し、
前記受信手段が、前記送信手段から送信される無線データを受信して元のコードデータ及びキャリア周波数のデータに変換し、
前記エンコーダが、前記受信手段が出力するコードデータ及びキャリア周波数のデータに応じた制御信号を生成する請求項１〜４のいずれかに記載の無線伝送システム。
【請求項６】
前記無線伝送受信装置が、キャリア周波数のデータを入力する入力手段を備え、
前記送信手段が、前記入力手段によって入力されたキャリア周波数のデータを前記赤外線受光器が出力するコードデータとともに無線データに変換し、
前記受信手段が、前記送信手段から送信される無線データを受信して元のコードデータ及びキャリア周波数のデータに変換し、
前記エンコーダが、前記受信手段が出力するコードデータ及びキャリア周波数のデータに応じた制御信号を生成する請求項１〜４のいずれかに記載の無線伝送システム。
【請求項７】
前記無線伝送送信装置が、キャリア周波数のデータを入力する入力手段を備え、
前記エンコーダが、前記受信手段が出力するコードデータ及び前記入力手段によって入力されたキャリア周波数のデータに応じた制御信号を生成する請求項１〜４のいずれかに記載の無線伝送システム。
【請求項８】
前記無線伝送送信装置が、それぞれ異なるキャリア周波数のキャリア信号を生成するキャリア信号生成手段を複数備え、
前記エンコーダが、前記受信手段が出力するコードデータを前記複数のキャリア信号生成手段から出力されるキャリア信号それぞれと合成させて複数の制御信号を生成する請求項１〜４のいずれかに記載の無線伝送システム。
【請求項９】
前記送信手段と前記受信手段との間における通信エラーを検出する検出手段を備え、
前記検出手段が通信エラーを検出した場合は、前記送信手段が無線データを再送する請求項１〜８のいずれかに記載の無線伝送システム。
【請求項１０】
前記赤外線受光器が、コードデータに前記赤外線リモートコントロール信号のキャリア信号を重畳して出力し、
前記送信手段が、前記赤外線受光器の出力信号をビット列データに変換し、その変換したビット列データを無線データに変換して送信する請求項１に記載の無線伝送システム。
【請求項１１】
前記送信手段が、前記赤外線受光器から出力されるコードデータが所定のコードデータ以外である場合のみ前記赤外線受光器から出力されるコードデータを無線データに変換して送信する請求項１〜１０のいずれかに記載の無線伝送システム。
【発明の詳細な説明】
【０００１】
【発明の属する技術分野】
本発明は、無線伝送送信装置と無線伝送受信装置を有する無線伝送システムに関する。特に、無線伝送送信装置にソース信号を供給する機器を遠隔操作する無線伝送システムに関する。
【０００２】
【従来の技術】
無線伝送送信装置と無線伝送受信装置を有する無線伝送システムであって、ＶＣＲ等の映像ソース機器から出力されるＡＶ信号を、離れた（見通しの効かない）場所に設置したＴＶ等の映像表示装置に無線伝送する無線伝送システムが従来から種々提案されている。
【０００３】
従来の無線伝送システムの一例として、特許文献１に開示されている無線伝送システムについて説明する。ただし、特許文献１に開示されている無線伝送システムは、無線伝送受信装置と映像表示装置を一体とした構成である。
【０００４】
特許文献１に開示されている無線伝送システムの構成を図１１に示す。図１１の無線伝送システムは、映像表示装置４１と映像発信装置４２を有している。赤外線リモートコントロール信号（以下、ＩＲリモコン信号という）を受信する赤外線信号受信回路４４を具備する映像再生装置４３の映像及び音声信号出力端子（図示せず）が、映像発信装置４２に設けられる映像音声信号圧縮回路４５の入力側に接続される。
【０００５】
映像発信装置４２は、映像音声信号圧縮回路４５の他にアンテナ３１’、送受信回路３２’、メモリ３３’、制御回路３４’、及び赤外線信号発生器４０を備えている。また、映像表示装置４１は、アンテナ３１、送受信回路３２、メモリ３３、制御回路３４、映像音声信号伸長回路３５、映像表示素子３６、スイッチ操作回路３７、駆動回路３８、及び増幅器付きスピーカ３９を備えている。
【０００６】
ここでは、映像表示装置４１を操作することによって映像再生装置４３に再生動作をさせる場合について説明する。まず、映像表示装置４１に設けられているスイッチ操作回路３７の再生スイッチが操作者の操作によってオンになった場合、制御回路３４は再生のコマンドに応じた制御信号を予め記憶しているメモリ３３から当該制御信号を読み出し、その読み出された制御信号が送受信回路３２によって高周波信号に変調され、アンテナ３１から電波として出力される。
【０００７】
映像発信装置４２では、当該電波がアンテナ３１’によって受信され、送受信回路３２’によって制御信号に復調され、制御回路３４’に送出される。制御回路３４’は、メモリ３３’が予め記憶している映像再生装置４３のＩＲリモコンコードのデータを参照して送受信回路３４’から送出される制御信号に応じたＩＲリモコン信号を赤外線信号発生器４０が発信するように、赤外線信号発生器４０を制御する。
【０００８】
映像再生器４３はＩＲリモコン信号を赤外線信号受信回路４４によってデコードし、デコードした制御信号に応じて再生動作を開始する。映像再生器４３が再生した映像及び音声信号は映像発信装置４２に送られ、映像音声信号圧縮回路４５によって圧縮され、制御回路３４’によって送受信のタイミングに同期され、さらに送受信回路３２’によって高周波信号に変調され、電波としてアンテナ３１’から出力される。そして、映像表示装置４１は当該電波をアンテナ３１で受信し、送受信回路３２によって復調し、制御回路３４及び映像音声信号伸長回路３５によって元の映像及び音声信号に戻す。当該音声信号は増幅器付きスピーカ３９によって音となって出力され、当該映像信号は駆動回路３８及び映像表示素子３６によって画像となって出力される。
【０００９】
【特許文献１】
特開平９−７４４９８号公報　（第３頁、第１図）
【００１０】
【発明が解決しようとする課題】
図１１の無線伝送システムは、予め映像送信装置４２側のメモリ３３’にＩＲリモコンコードのデータを格納しておく構成であるので、制御できる映像再生器はメモリ３３’にＩＲリモコンコードのデータが格納されているものに限られるという問題があった。また、図１１の無線伝送システムでは、メモリ３３’の容量に制限があるため、有限のＩＲリモコンコードしか対応できないという問題があった。
【００１１】
また、新規のＩＲリモコンコードに対しても、メモリ３３’に格納するＩＲリモコンコードのデータを追加する以外対応できないため、製品として映像発信装置を出荷した後は基本的に新規のＩＲリモコンコードへの対応は不可能であった。さらに、メモリ３３’に予め格納したＩＲリモコンコードのデータに不具合があった場合にも修正対応ができないという問題があった。
【００１２】
本発明は、上記の問題点に鑑み、様々なＩＲリモコンコードに対応可能な無線伝送システムを提供することを目的とする。
【００１３】
【課題を解決するための手段】
上記目的を達成するために、本発明に係る無線伝送システムにおいては、入力したソース信号を無線信号に変換して出力する無線伝送送信装置と、該無線伝送送信装置から出力される無線信号を元のソース信号に変換して外部出力信号とする無線伝送受信装置と、を有する。そして、前記無線伝送受信装置が、入力した赤外線リモートコントロール信号をデコードしてコードデータを出力する赤外線受光器と、該赤外線受光器が出力するコードデータを無線データに変換して送信する送信手段と、備えている。また、前記無線伝送送信装置が、前記送信手段から送信される無線データを受信して元のコードデータに変換する受信手段と、該受信手段が出力するコードデータに応じた制御信号を生成するエンコーダと、該エンコーダが出力する制御信号を赤外線リモートコントロール信号に変換して出力する赤外線発光器と、を備えている。
【００１４】
上記構成の無線伝送システムは、ＩＲリモコンコードを無線伝送受信装置が予め記憶させておくプリセット方式ではなく、無線伝送受信装置の送信手段が赤外線受光器から出力されるコードデータを無線データに変換して送信する構成であるので、様々なＩＲリモコンコードに対応することができる。また、新規のＩＲリモコンコードに対してもキャリア周波数とサンプリングクロックの周期が適応範囲内であれば、設計を変えることなく対応可能となる。
【００１５】
また、前記送信手段が、前記赤外線受光器が出力するコードデータをビット列データに変換し、その変換したビット列データを無線データに変換して送信するようにしてもよい。
【００１６】
ビット列データに変換することで、無線伝送受信装置−無線伝送送信装置間の無線伝送路でデータの劣化が少なくなる。
【００１７】
また、前記送信手段が、前記赤外線受光器が出力するコードデータをビット列データに変換するときのサンプリング周期を変動させてもよい。
【００１８】
前記赤外線受光器が出力するコードデータの変化の度合いに応じてサンプリング周期を変動させることで、効率の良いデータサンプリングが可能となる。
【００１９】
また、前記無線伝送受信装置が、各々異なるキャリア周波数の赤外線リモートコントロール信号をデコードしてコードデータを出力する赤外線受光器を複数備えてもよい。
【００２０】
各種のキャリア周波数に応じた複数の赤外線受光器を設けることで、使用されたリモコン送信機のキャリア周波数に応じた赤外線受光器を選択することが可能になるので、キャリア周波数の異なる各種のリモコン送信機に対応することができる。
【００２１】
また、前記無線伝送受信装置が、入力した赤外線リモートコントロール信号のキャリア周波数を測定する測定手段を備え、前記送信手段が、前記測定手段によって測定されたキャリア周波数のデータを前記赤外線受光器が出力するコードデータとともに無線データに変換し、前記受信手段が、前記送信手段から送信される無線データを受信して元のコードデータ及びキャリア周波数のデータに変換し、前記エンコーダが、前記受信手段が出力するコードデータ及びキャリア周波数のデータに応じた制御信号を生成するようにしてもよい。
【００２２】
これにより、キャリア周波数の異なる各種のリモコン送信機に対応することができる。
【００２３】
また、前記無線伝送受信装置が、キャリア周波数のデータを入力する入力手段を備え、前記送信手段が、前記入力手段によって入力されたキャリア周波数のデータを前記赤外線受光器が出力するコードデータとともに無線データに変換し、前記受信手段が、前記送信手段から送信される無線データを受信して元のコードデータ及びキャリア周波数のデータに変換し、前記エンコーダが、前記受信手段が出力するコードデータ及びキャリア周波数のデータに応じた制御信号を生成するようにしてもよい。
【００２４】
これにより、キャリア周波数の異なる各種のリモコン送信機に対応することができる。
【００２５】
また、前記無線伝送送信装置が、キャリア周波数のデータを入力する入力手段を備え、前記エンコーダが、前記受信手段が出力するコードデータ及び前記入力手段によって入力されたキャリア周波数のデータに応じた制御信号を生成するようにしてもよい。
【００２６】
これにより、キャリア周波数の異なる各種のリモコン送信機に対応することができる。また、キャリア周波数のデータを無線伝送受信装置から無線伝送送信装置に送る必要がなくなる。
【００２７】
また、前記無線伝送送信装置が、それぞれ異なるキャリア周波数のキャリア信号を生成するキャリア信号生成手段を複数備え、前記エンコーダが、前記受信手段が出力するコードデータを前記複数のキャリア信号生成手段から出力されるキャリア信号それぞれと合成させて複数の制御信号を生成するようにしてもよい。
【００２８】
これにより、キャリア周波数の異なる各種のリモコン送信機に対応することができる。また、キャリア周波数のデータを無線伝送受信装置から無線伝送送信装置に送る必要がなくなる。
【００２９】
また、前記送信手段と前記受信手段との間における通信エラーを検出する検出手段を備え、前記検出手段が通信エラーを検出した場合は、前記送信手段が無線データを再送するようにしてもよい。
【００３０】
このように通信エラーの有無をチェックすることにより、コードデータが無線伝送受信装置−無線伝送送信装置間の無線伝送路で劣化して喪失されるという不具合が減少する。
【００３１】
また、前記赤外線受光器が、コードデータに前記赤外線リモートコントロール信号のキャリア信号を重畳して出力し、前記送信手段が、前記赤外線受光器の出力信号をビット列データに変換し、その変換したビット列データを無線データに変換して送信するようにしてもよい。
【００３２】
これにより、キャリア周波数のデータを予め格納したり、キャリア信号を測定したり、キャリア周波数のデータを入力する必要がなくなる。
【００３３】
また、前記送信手段が、前記赤外線受光器から出力されるコードデータが所定のコードデータ以外である場合のみ前記赤外線受光器から出力されるコードデータを無線データに変換して送信するにしてもよい。
【００３４】
これにより、無線伝送受信装置から無線伝送送信装置に送る必要のないコードデータが、無線伝送受信装置から無線伝送送信装置に送られることを防止することができる。
【００３５】
【発明の実施の形態】
以下に本発明の一実施形態について図面を参照して説明する。本発明の第一実施形態に係る無線伝送システムの構成を図１に示す。図１の無線伝送システムは無線伝送送信装置１００と無線伝送受信装置２００を有する。
【００３６】
無線伝送送信装置１００は、入力端子３、Ａ／Ｄ変換回路４、圧縮回路５、演算処理装置６、送受信回路７、アンテナ８、及びＩＲ発光器９を備えている。また、無線伝送受信装置２００は、アンテナ１０、送受信回路１１、演算処理装置１２、伸長回路１３、Ｄ／Ａ変換回路１４、出力端子１５、及びＩＲ受光器１６を備えている。
【００３７】
無線伝送送信装置１００の入力端子３はＶＣＲ等の映像ソース機器１に接続されており、映像ソース機器１から出力されるＡＶ信号を入力する。入力端子３に入力されたＡＶ信号はＡ／Ｄ変換回路４によってアナログ信号からディジタル信号に変換され、圧縮回路５によって圧縮されたのち演算処理装置６を介して送受信回路７に送られ、送受信回路７によって高周波信号（例えば、２．４５ＧＨｚの高周波信号）に変調されたのちアンテナ８から電波として送信される。
【００３８】
無線伝送送信装置１００から送信された高周波信号は、無線伝送受信装置２００のアンテナ１０によって受信され、送受信回路１１によって復調され、演算処理装置１２を介して伸長回路１３に送られ、伸長回路１３によって伸長されたのちディジタル信号からアナログ信号に変換され元のＡＶ信号となって出力端子１５に送られる。無線伝送受信装置２００の出力端子１５はＴＶ等の映像表示装置２の外部入力端子に接続されており、映像表示装置２は無線伝送受信装置２００の出力端子１５から出力されるＡＶ信号を入力してそのＡＶ信号を再生する。
【００３９】
続いて、映像ソース機器１の制御をリモートコントロール送信機（以下、リモコン送信機という）１７で行う場合の動作について説明する。この場合、リモコン送信機１７を操作する操作者は通常映像表示装置２側におり、映像ソース機器１に対しては見通しの効かない場所にいることになる。映像ソース機器１の動作（例えば電源投入、再生等）を遠隔操作するために、操作者はリモコン送信機１７を無線伝送受信装置２００に向けた状態でリモコン送信機１７を操作する。
【００４０】
したがって、無線伝送受信装置２００はリモコン送信機１７から発信されるＩＲリモコン信号を受信する。リモコン送信機１７から送信されるＩＲリモコン信号はＩＲ受光器１６によって受光される。なお、リモコン送信機１７が発信するＩＲリモコン信号は、ＩＲリモコンコードのデータ信号に所定の周波数（以下、キャリア周波数）のパルス信号であるキャリア信号を重畳した赤外線信号である。このようにＩＲリモコンコードのデータ信号にキャリア信号を重畳させるのは、到達距離が長くなるのに伴って増大するＩＲリモコンコードのデータ信号の劣化を軽減するためである。
【００４１】
ＩＲ受光器１６の一構成例を図６に示す。フォトダイオード６１は受光したＩＲリモコン信号を電気信号に変換して出力する。フォトダイオード６１から出力された電気信号は、増幅器６２によって増幅され、バンドパスフィルタ（ＢＰＦ）６３によってキャリア周波数帯域以外の信号が除去される。すなわち、キャリア周波数とバンドパスフィルタ６３の通過帯域特性とには相関がある。これにより、ＩＲ受光器１６は特定のキャリア周波数のＩＲリモコン信号しか正しく受信できないという性能になっている。そして、バンドパスフィルタ６３から出力される信号は、検波回路６４によってキャリア信号が除かれ、波形整形回路６５によって波形整形されたのち出力される。すなわち、ＩＲ受光器１６は、ＩＲリモコン信号からキャリア周波数成分を除いた信号に対応する電気信号を出力している。
【００４２】
演算処理装置１２は、内部で図８に示すようなクロック信号ＣＫ１を発生させ、ＩＲ受光器１６の出力信号Ｓ１をそのクロック信号ＣＫ１に基づいてサンプリングすることによってビット列Ｂ１に変換する。なお、本実施形態ではＩＲ受光器１６の出力信号をクロック信号の立ち上がりエッジで取り込み０，１のビット列に変換しているが、サンプリングクロックの立下りエッジで取り込んだ場合も同様の効果がある。
【００４３】
なお、ＩＲ受光器１６の出力信号Ｓ１のサンプリング周波数を可変するようにしてもよい。例えば、演算処理装置１２が、内部で図８に示すようなクロック信号ＣＫ１に比べて周波数が１／２であるクロック信号ＣＫ２を発生させ、ＩＲ受光器１６の出力信号Ｓ１をそのクロック信号ＣＫ２に基づいてサンプリングすることによってビット列Ｂ２に変換する。クロック信号ＣＫ２を用いた場合、クロック信号ＣＫ１を用いた場合に比べてサンプリングの分解能が１／２になる。
【００４４】
ＩＲ受光器１６の出力信号Ｓ１のサンプリング周波数を可変するようにした場合、サンプリングの対象であるＩＲ受光器１６の出力信号Ｓ１の状態に適したサンプリングクロック周期（分解能）を選択するようにするとよい。これにより、効率の良いデータサンプリングが可能となる。具体的には、ＩＲ受光器１６の出力信号Ｓ１がＨｉｇｈレベルである期間とＬｏｗレベルである期間をそれぞれ測定してＩＲ受光器１６の出力信号Ｓ１がどの程度変化しているかを求める。ＩＲ受光器１６の出力信号Ｓ１の変化が少ない場合にはサンプリング周期を下げ、ＩＲ受光器１６の出力信号Ｓ１の変化が頻繁に起こる場合にはサンプリング周期を上げることで、元のＩＲリモコンコードの性質を損なわず、少ないデータで無線伝送送信装置１００にＩＲリモコンコードを伝えることが可能になる。
【００４５】
また、演算処理装置１２はキャリア周波数のデータを予め格納しており、そのキャリア周波数のデータとＩＲ受光器１６の出力信号に基づいて作成したビット列とを送受信回路１１に送出する。送受信回路１１は入力した二つの信号を高周波信号（例えば、２．４５ＧＨｚの高周波信号）に変調し、変調した高周波信号をアンテナ１０から電波として出力する。
【００４６】
無線伝送受信装置２００から出力された高周波信号は、無線伝送送信装置１００のアンテナ８によって受信され、送受信回路７によって復調され、演算処理装置６でディジタル信号であるビット列がアナログ信号に変換される。また、演算処理装置６は、無線伝送送信装置２００から送信されてきたキャリア周波数のデータに基づいてキャリア信号を生成し、前記アナログ信号にそのキャリア信号を重畳することによってＩＲ制御信号を生成して、そのＩＲ制御信号をＩＲ発光器９に送出する。ＩＲ発光器９は入力したＩＲ制御信号をＩＲリモコン信号に変換する。映像ソース機器１は、そのＩＲリモコン信号を受光し、受光したＩＲリモコン信号に応じて動作する。
【００４７】
図１の無線伝送システムは、ＩＲリモコンコードを無線伝送受信装置の演算処理装置に予め記憶させておくプリセット方式ではなく、無線伝送受信装置の演算処理装置によってＩＲリモコンコードがビット列に変換される構成であるので、様々なＩＲリモコンコードに対応することができ、映像ソース機器１やリモコン送信機１７の種類をある程度限定する必要がなくなる。また、新規のＩＲリモコンコードに対してもキャリア周波数とサンプリングクロックの周期が適応範囲内であれば、設計を変えることなく対応可能となる。
【００４８】
なお、本実施形態では演算処理装置１２がキャリア周波数のデータを予め格納する構成にしたが、演算処理装置６がキャリア周波数のデータを予め格納する構成にしても構わない。この場合、無線伝送受信装置２００から無線伝送送信装置１００にはビット列のみを変調した高周波信号が送られる。
【００４９】
次に、本発明の第二実施形態に係る無線伝送システムについて説明する。本発明の第二実施形態に係る無線伝送システムの構成を図２に示す。なお、図２において図１と同一の部分には同一の符号を付し説明を省略する。
【００５０】
図２の無線伝送システムは、無線伝送送信装置１００と無線伝送受信装置２０１を有する。無線伝送送信装置１００については第一実施形態と同一である。無線伝送受信装置２０１は、第一実施形態の無線伝送受信装置２００においてＩＲ受光器１６の代わりにＩＲ受光器１６と同一構成であるがそれぞれ特性の異なる複数のＩＲ受光器１６ａ〜１６ｃを設け、さらにセレクタ回路１８とキャリア信号測定器１９を新たに設けた構成である。
【００５１】
以下、映像ソース機器１の制御をリモコン送信機１７で行う場合の動作について説明する。キャリア信号測定器１９の一構成例を図７に示す。フォトダイオード７１は受光したＩＲリモコン信号を電気信号に変換して出力する。フォトダイオード７１から出力された電気信号は、波形振幅調整回路７２によって波形の振幅が調整され、波形整形回路７３によって波形整形されたのち出力される。演算処理装置１２は、キャリア信号測定器１９の出力信号の立ち下がりエッジ間の時間測定を行い、ある特定時間の中で最も頻繁に測定される時間の逆数をキャリア周波数として採用する。
【００５２】
そして、上記の方法によって採用したキャリア周波数に適するＩＲ受光器の出力信号をセレクタ回路１８が選択するように、演算処理装置１２がセレクタ回路１８を制御する。また、演算処理装置１２は内部で発生させるクロック信号に基づいてセレクタ回路１８の出力信号をサンプリングしてビット列を作成し、そのビット列と上記の方法によって採用したキャリア周波数のデータとを送受信回路１１によって高周波信号に変調し、アンテナ１０から電波として出力する。
【００５３】
ＩＲリモコン信号のキャリア周波数はリモコン送信機１７の種類に応じて多種あるが、本実施形態では各種のキャリア周波数に応じた複数のＩＲ受光器１６ａ〜１６ｃを設け、使用されたリモコン送信機のキャリア周波数に応じたＩＲ受光器を選択するので、キャリア周波数の異なる各種のリモコン送信機に対応することができる。
【００５４】
なお、ＩＲ受光器１６ａ〜１６ｃはそれぞれバンドパスフィルタの特性が異なるだけであるので、バンドパスフィルタを除いた他の部分を共通化してもよい。さらに、キャリア信号測定器１９のフォトダイオードとＩＲ受光器のフォトダイオードも共通化してもよい。このような共通化を行うことによって、無線伝送受信装置の低コスト化及び小型化を図ることができる。
【００５５】
次に、本発明の第三実施形態に係る無線伝送システムについて説明する。本発明の第三実施形態に係る無線伝送システムの構成を図３に示す。なお、図３において図２と同一の部分には同一の符号を付し説明を省略する。
【００５６】
図３の無線伝送システムは、無線伝送送信装置１００と無線伝送受信装置２０２を有する。無線伝送送信装置１００については第二実施形態と同一である。無線伝送受信装置２０２は、第二実施形態の無線伝送受信装置２０１においてキャリア信号測定器１９の代わりにキャリア信号選択スイッチ２０を設けた構成である。
【００５７】
以下、映像ソース機器１の制御をリモコン送信機１７で行う場合の動作について説明する。まず、操作者の入力操作によってキャリア信号選択スイッチ２０がキャリア周波数を選択し、その選択したキャリア周波数のデータを演算処理装置１２に送出する。なお、入力操作は特定もしくは任意のキャリア周波数データを入力するようにすればよい。
【００５８】
そして、演算処理装置１２はキャリア信号選択スイッチ２０によって選択されたキャリア周波数に適するＩＲ受光器の出力信号をセレクタ回路１８が選択するようにセレクタ回路１８を制御する。また、演算処理装置１２は内部で発生させるクロック信号に基づいてセレクタ回路１８の出力信号をサンプリングしてビット列を作成し、そのビット列とキャリア信号選択スイッチ２０が選択したキャリア周波数のデータとを送受信回路１１によって高周波信号に変調し、アンテナ１０から電波として出力する。
【００５９】
本実施形態では、操作者が事前に無線伝送受信装置２０２に設けられているキャリア信号選択スイッチ２０に対してリモコン送信機１７の種類に応じたキャリア周波数の入力操作を行うことで、第二実施形態と同様にキャリア周波数の異なる各種のリモコン送信機に対応することができる。
【００６０】
次に、本発明の第四実施形態に係る無線伝送システムについて説明する。本発明の第四実施形態に係る無線伝送システムの構成を図４に示す。なお、図４において図３と同一の部分には同一の符号を付し説明を省略する。
【００６１】
図４の無線伝送システムは、無線伝送送信装置１０１と無線伝送受信装置２０２を有する。無線伝送受信装置２０２については第三実施形態と同一である。無線伝送送信装置１０１は、第三実施形態の無線伝送受信装置１００にキャリア信号選択スイッチ２１を新たに設けた構成である。
【００６２】
以下、映像ソース機器１の制御をリモコン送信機１７で行う場合の動作について説明する。まず、操作者の入力操作によってキャリア信号選択スイッチ２０がキャリア周波数を選択し、その選択したキャリア周波数のデータを演算処理装置１２に送出する。なお、入力操作は特定もしくは任意のキャリア周波数データを入力するようにすればよい。
【００６３】
そして、演算処理装置１２はキャリア信号選択スイッチ２０によって選択されたキャリア周波数に適するＩＲ受光器の出力信号をセレクタ回路１８が選択するようにセレクタ回路１８を制御する。また、演算処理装置１２は内部で発生させるクロック信号に基づいてセレクタ回路１８の出力信号をサンプリングしてビット列を作成し、そのビット列のみを送受信回路１１によって高周波信号に変調し、アンテナ１０から電波として出力する。
【００６４】
無線伝送受信装置２０２から送信された高周波信号は、無線伝送送信装置１０１のアンテナ８によって受信され、送受信回路７によって復調され、演算処理装置６でディジタル信号であるビット列がアナログ信号に変換される。また、操作の事前入力操作によってキャリア信号選択スイッチ２１がキャリア周波数を事前に選択しており、その事前に選択したキャリア周波数のデータを演算処理装置６に送出する。なお、入力操作は特定もしくは任意のキャリア周波数データを入力するようにすればよい。
【００６５】
そして、演算処理装置６はキャリア信号選択スイッチ２１によって事前に選択されていたキャリア周波数に基づいてキャリア信号を生成し、前記アナログ信号にそのキャリア信号を重畳することによってＩＲ制御信号を生成して、そのＩＲ制御信号をＩＲ発光器９に送出する。ＩＲ発光器９は入力したＩＲ制御信号をＩＲリモコン信号に変換する。映像ソース機器１は、そのＩＲリモコン信号を受光し、受光したＩＲリモコン信号に応じて動作する。
【００６６】
本実施形態では、操作者が事前に無線伝送送信装置１０１に設けられているキャリア信号選択スイッチ２１に対してリモコン送信機１７の種類に応じたキャリア周波数の入力操作を行うことで、第二実施形態と同様にキャリア周波数の異なる各種のリモコン送信機に対応することができる。また、キャリア周波数のデータを無線伝送受信装置から無線伝送送信装置に送る必要がなくなる。
【００６７】
次に、本発明の第五実施形態に係る無線伝送システムについて説明する。本発明の第五実施形態に係る無線伝送システムの構成を図５に示す。なお、図５において図４と同一の部分には同一の符号を付し説明を省略する。
【００６８】
図５の無線伝送システムは、無線伝送送信装置１０２と無線伝送受信装置２０２を有する。無線伝送受信装置２０２については第四実施形態と同一である。無線伝送送信装置１０２は、第四実施形態の無線伝送受信装置１０１においてキャリア信号選択スイッチ２１を取り除き、新たにキャリア生成回路２２ａ〜２２ｃ及び合成器２３を設けた構成である。
【００６９】
以下、映像ソース機器１の制御をリモコン送信機１７で行う場合の動作について説明する。まず、操作者の入力操作によってキャリア信号選択スイッチ２０がキャリア周波数を選択し、その選択したキャリア周波数のデータを演算処理装置１２に送出する。なお、入力操作は特定もしくは任意のキャリア周波数データを入力するようにすればよい。
【００７０】
そして、演算処理装置１２はキャリア信号選択スイッチ２０によって選択されたキャリア周波数に適するＩＲ受光器の出力信号をセレクタ回路１８が選択するようにセレクタ回路１８を制御する。また、演算処理装置１２は内部で発生させるクロック信号に基づいてセレクタ回路１８の出力信号をサンプリングしてビット列を作成し、そのビット列のみを送受信回路１１によって高周波信号に変調し、アンテナ１０から電波として出力する。
【００７１】
無線伝送受信装置２０２から送信された高周波信号は、無線伝送送信装置１０２のアンテナ８によって受信され、送受信回路７によって復調され、演算処理装置６でディジタル信号であるビット列がアナログ信号に変換される。また、演算処理装置６は、送受信回路７からビット列を受け取ると、キャリア生成回路２２ａ〜２２ｃそれぞれに対して動作を開始するように制御する。なお、演算処理装置６は、合成器２３への前記アナログ信号の出力が終了してから所定の時間が経過すると、キャリア生成回路２２ａ〜２２ｃそれぞれに対して動作を停止するように制御する。キャリア生成回路２２ａ〜２２ｃはそれぞれ異なるキャリア周波数のキャリア信号を出力する。そして、合成器２３はそれぞれのキャリア信号と前記アナログ信号とを合成して、複数のＩＲ制御信号を合成し、ＩＲ発光器９に出力する。したがって、ＩＲリモコンコードのデータは同一であるがキャリア周波数の異なる複数のＩＲリモコン信号がＩＲ発光器９から出力される。映像ソース機器１は、適切なキャリア周波数のＩＲリモコン信号のみを受信して、そのＩＲリモコン信号に応じて動作する。
【００７２】
これにより、無線伝送送信装置において操作者がリモコン送信機の種類に応じたキャリア周波数の入力操作を行わなくても、第四実施形態と同様にキャリア周波数の異なる各種のリモコン送信機に対応することができる。また、キャリア周波数のデータを無線伝送受信装置から無線伝送送信装置に送る必要がなくなる。
【００７３】
上記第一〜第五実施形態において、映像ソース機器１の制御をリモコン送信機１７で行う場合に無線伝送受信装置−無線伝送送信装置間の通信エラーの有無をチェックするようにしてもよい。ここで、映像ソース機器１の制御をリモコン送信機１７で行う場合における無線伝送受信装置−無線伝送送信装置間の通信データパスを図９に示す。図９のＡ−Ａ’は再送が行なわれなかった場合のデータパスを示しており、Ｂ−Ｂ’は再送が行なわれた場合のデータパスを示している。
【００７４】
データパスＢ−Ｂ’において、ＩＲ受光器から無線伝送受信装置側演算処理装置にＩＲリモコンコードのデータが送られる（Ｐ１）。無線伝送受信装置側演算処理装置はＩＲ受光器から送られたＩＲリモコンコードのデータを無線伝送送信装置側演算処理装置に送る（Ｐ２）。無線伝送送信装置側演算処理装置は送られてきたＩＲリモコンコードのデータに基づいて通信エラーの有無をチェックし、通信エラーがあった場合は無線伝送受信装置側演算処理装置にＩＲリモコンコードのデータの再送要求を行なう（Ｐ３）。無線伝送受信装置側演算処理装置はこれを受け、ＩＲリモコンコードのデータの再送を行なう（Ｐ４）。無線伝送送信装置側演算処理装置は、通信エラーがない場合は無線伝送受信装置側演算処理装置から送られてきたＩＲリモコンコードのデータをＩＲ発光器に送る（Ｐ５）。このように通信エラーの有無をチェックすることにより、ＩＲリモコンコードのデータが無線伝送受信装置−無線伝送送信装置間の無線伝送路で劣化して喪失されるという不具合が減少する。
【００７５】
また、上述した図１〜図３の無線伝送システムでは、ＩＲ受光器に図６に示すＩＲ受光器を用いているので、キャリア信号を除いたＩＲリモコンコードのデータのみがビット列に変換されていたが、検波回路を具備しないＩＲ受光器を用いることでＩＲ受光器から出力される信号をキャリア信号が含まれる信号にし、演算処理装置１２がキャリア信号も含んだ信号をビット列に変換するようにしてもよい。この場合、演算処理装置１２が入力する信号はキャリア信号を含まない信号Ｓ２ではなくキャリア信号を含む信号Ｓ３になり、演算処理装置１２がキャリア信号を含む信号Ｓ３をクロック信号ＣＫ３の立ち上がりエッジのタイミングでサンプリングするので、得られるビット列はＢ３のようになる（図１０参照）。これにより、キャリア周波数のデータを予め格納したり、キャリア信号を測定したり、キャリア周波数を入力操作によって選択をしたりする必要がなくなる。
【００７６】
また、上述した図１〜図５の無線伝送システムにおいて、演算処理装置１２が無線伝送受信装置自体の動作を制御するＩＲリモコンコードのデータを予め格納しておき、ＩＲ受光器１６又はセレクタ回路１８の出力信号が無線伝送受信装置自体の動作を制御するＩＲリモコンコードのデータ信号でない場合のみＩＲ受光器１６又はセレクタ回路１８の出力信号をビット列に変換し、ＩＲ受光器１６又はセレクタ回路１８の出力信号が無線伝送受信装置自体の動作を制御するＩＲリモコンコードのデータ信号である場合はＩＲ受光器１６又はセレクタ回路１８の出力信号を内蔵するデコード回路（図示せず）によってデコードして無線伝送受信装置自体の動作を制御する制御信号を生成するようにしてもよい。また、演算処理装置１２が無線伝送受信装置自体の動作を制御するＩＲリモコンコードのデータを予め格納しておく代わりに、無線伝送受信装置自体の動作を制御するＩＲリモコンコードに関するデータを外部から入力するようにしてもよい。
【００７７】
これにより、無線伝送受信装置から無線伝送送信装置に送る必要のないＩＲリモコンコードのデータが、無線伝送受信装置から無線伝送送信装置に送られることを防止することができる。
【００７８】
なお、上記第一〜第五実施形態では、無線伝送を電波でおこなったが、他の無線伝送例えば赤外線信号によっておこなってもかまわない。赤外線信号による無線伝送では、無線伝送送信装置に設ける無線伝送用赤外線通信部と無線伝送受信装置に設ける無線伝送用赤外線通信部とは互いに見通しの効く場所に設置されているが、操作者は映像ソース機器に対して見通しが利かない場所にいる場合に本発明の効果を奏する。また、無線伝送送信装置の入力信号及び無線伝送受信装置の出力信号はＡＶ信号に限らず、例えば映像信号のみや音声信号のみであっても構わない。
【００７９】
【発明の効果】
本発明によると、様々なＩＲリモコンコードに対応可能な無線伝送システムを実現することができる。
【図面の簡単な説明】
【図１】本発明の第一実施形態に係る無線伝送システムの構成を示す図である。
【図２】本発明の第二実施形態に係る無線伝送システムの構成を示す図である。
【図３】本発明の第三実施形態に係る無線伝送システムの構成を示す図である。
【図４】本発明の第四実施形態に係る無線伝送システムの構成を示す図である。
【図５】本発明の第五実施形態に係る無線伝送システムの構成を示す図である。
【図６】ＩＲ受光器の一構成例を示す図である。
【図７】キャリア信号測定器の一構成例を示す図である。
【図８】無線伝送受信装置の演算処理装置が取り扱う信号を示す図である。
【図９】映像ソース機器の制御をリモコン送信機で行う場合における無線伝送受信装置−無線伝送送信装置間の通信データパスを示す図である。
【図１０】無線伝送受信装置の演算処理装置がキャリア信号を含む信号を入力する場合において無線伝送受信装置の演算処理装置が取り扱う信号を示す図である。
【図１１】従来の無線伝送システムの一構成例を示す図である。
【符号の説明】
１　映像ソース機器
２　映像表示装置
３　外部入力端子
４　Ａ／Ｄ変換回路
５　圧縮回路
６、１２　演算処理装置
７、１１　送受信回路
８、１０　アンテナ
９　ＩＲ発光器
１３　伸長回路
１４　Ｄ／Ａ変換回路
１５　外部出力端子
１６　ＩＲ受光器
１７　リモコン送信機
１００、１０１、１０２　無線伝送送信装置
２００、２０１、２０２　無線伝送受信装置
【図１】
2004147237.tif 000003
【図２】
2004147237.tif 000004
【図３】
2004147237.tif 000005
【図４】
2004147237.tif 000006
【図５】
2004147237.tif 000007
【図６】
2004147237.tif 000008
【図７】
2004147237.tif 000009
【図８】
2004147237.tif 000010
【図９】
2004147237.tif 000011
【図１０】
2004147237.tif 000012
【図１１】
2004147237.tif 000013